(57)【要約】      （修正有）【課題】野球競技における投手がボールを投ずる際のコントロールを良くする為のトレーニング機具を提供する。【解決手段】野球における投手のピッチング練習具であって、投手が投球動作を行う際の踏み出し足の着地点に、目印となる足型を表示する装置と着地を感知するセンサー１７ｂを装着できる仕組みを備え、リリースポイントとなる頭上前方には、指先を触れさせる装置と指先の通過を感知するセンサー１７ａを装着できる仕組みを備えた構造を特徴とする。【選択図】図−１
2011000403.tif 000002
【特許請求の範囲】
【請求項１】
投手が投球動作を行う際の踏み出し足の着地点に、目印となる足型を表示する装置と着地を感知するセンサーを装着できる仕組みを備え、リリースポイントとなる頭上前方には、指先を触れさせる仕組みと指先の通過を感知するセンサーを装着できる装置を備えた構造を特徴とする、コントロール精度向上機具。
【請求項２】
リリースポイントの位置を自在に調節できる請求項１に記載のコントロール精度向上機具。
【請求項３】
踏み出し足の目印の位置を自在に調節できる請求項１又は２に記載のコントロール精度向上機具。
【請求項４】
リリースポイント部分及び着地点部分が自在に着脱できて、右投、左投げのいずれの投手用にも使用することが出来る請求項１〜３に記載のコントロール精度向上機具。
【発明の詳細な説明】
【技術分野】
【０００１】本発明は野球のトレーニング機具に関する。更に詳しくは、野球におけるピッチャーの投球コントロールの精度を向上させるトレーニング機具に関するものである。
【背景課題】
【０００２】ボールを自在にコントロール出来る能力は野球の投手が備えるべき要素の中でも、最も重要なものである。しかしながら、百年近い歴史がある日本にも、野球発祥の地であり百数十年の歴史を誇る本場アメリカにおいても、コントロールを向上させる為のトレーニング機具や具体的な方法も存在しない。
【０００３】コントロールを良くする為には、投球の際の踏み出し足の着地位置と指先からボールを離す位置、いわゆるリリースポイントを一定させることが重要だという考えは多くの野球関係者に一致する。
【発明が解決しようとする課題】
野球競技における、投手がボールを投ずる際のコントロールの精度を向上させるトレーニング機具の提供。
【発明が解決しようとする手段】
【０００４】本発明は野球における投手のピッチング練習具であって、投手が投球動作を行う際の踏み出し足の着地点に、目印となる足型を表示する装置と着地を感知するセンサーを装着できる仕組みを備え、リリースポイントとなる頭上前方には、指先を触れさせる装置と指先の通過を感知するセンサーを装着できる仕組みを備えた構造を特徴とする、コントロール精度を向上させる機具である。
【発明の効果】
【０００５】本発明に係るコントロール精度向上機具によれば、投球動作において、目的位置に設定した足型に踏み出し足を着地させ、頭上前方のリリースポイントにあるスポンジ状のバーを目掛けて、思いっきり速く振った指先を触れさせる行為を繰り返し行うことで、着地位置とリリースポイントが一定したピッチングフォームを確立することが出来る。また、踏み出し足の足型の表示と指先を触れさせる仕組みを外して、それぞれの位置にセンサーを装着して作動させ、目標や目印がない状態で投球動作を行うことによって、コントロール精度の上達具合を検証することが出来る。
【発明を実施する為の最良の形態】
【実施例】
【０００６】本発明に係る実施の形態を図１〜図１１によって説明する。
図１〜図６は、本発明に係るコントロール精度向上機具のうち、コントロール精度向上トレーニングを行う機能に関するものである。
図１は、踏み出し足の位置に足型を画像表示する為に、ポジフィルムを張付けた投影器２６をセットし、リリースポイントの為にはベアリング入りプラスチックカラー１にスポンジバー２を装着したトレーニング用コネクター４を接続させたアーム７を、フロント支柱２０の内側にあるメイン支柱１９のアームホルダー１３に取付けた状態を前面から示した図である。【０００７】図２に示されてあるようにリリースポイントで指先が接触するスポンジバー２は、指先を傷めない柔らかな素材としてスポンジを用い、更にスポンジバー２はベアリングを装着したプラスチックカラー１の取付け金具３に装着し、回転によって指先への衝撃を軽減する仕組みになっている。【０００８】図３で示されているリリースポイント用の部品を取付けるメイン支柱１９の外側のフロント支柱２０の足底部にはキャスター２３が装着してあり、図４で表示されているガイドレール３１の上を前後に移動することが出来、投手個々のリリースポイントに合わせられる。キャスター２３の周りには支柱の転倒を防ぐためのレールカバー２１が付いている。【０００９】図５はアームホルダー１３の左右角度調節板の角度を変えて、リリースポイントの高さ調節を行った状態を前面から示した図である。
左右角度調節板の角度を変える以外にも、投手個々のリリースポイントに合わせるために高さを調節する３種類の機能が備わっている。フロント支柱２０の内側にセットされているメイン支柱１９は、目盛りに合わせて１ミリ単位で高さ調節をすることが出来る。アームホルダー１３に差し込まれたアーム７には屈折部８があり、アーム７を屈折することによって高さを調節することが出来る。【００１０】図６のようにアーム７の先に接続するトレーニング用コネクター４の差し込みヘッド５を６に変えることによっても高さを変えることが出来る。
これら４種類の機能を用いればオーバースロー、サイドスローアンダースロー等あらゆるフォームに対応することが可能であり、投影器を反対側に向け、アーム７を反対側に差し替えれば左投手用として使える。【００１１】図７は、メイン支柱１９にトレーニング用コネクター４を取付けた状態を側面から見た図である。フロント支柱２０に取付けられた投影器用ガイドレール２４に、ポジフィルムを張付けたガラス２５を装着した投影器２６を取付けたサブ支柱２７のヘッド部分のキャスター２８が跨り、足元部分はガイドレール３１にキャスター２３が乗って前後に移動出来る。フロント支柱２０の位置も、高さ調節、左右の角度調節、アームバーの屈折調節、サブ支柱１９の位置も全て固定ネジ３４によって固定する。【００１２】図８は投影器２６を取付けたサブ支柱２７を前面からと側面から見た図である。投影器２６は通常のスライド用投影器を単純にしたもので、足型のポジフィルムを張付けたガラス２５に発光ダイオードによる光を当て、目印となる足型を着地点に映すだけの簡単な造りである。【００１３】図９〜図１１は、本発明に係るコントロール精度向上機具のうち、コントロール精度を検証する機能に関するものである。
図９はセンサーリフレクター１８ａを装着した検証用コネクター８をアーム７に取付けた図である。
図１０はフロント支柱の内側にあるメイン支柱１９のアームホルダー１３に図９の状態のアーム７を取付け、リリースポイント用の光電センサー１７ａを指先が通過する位置にセットし、踏み出し足には、サブ支柱２７のレールカバー２９に装着してある光電センサー１７ｂをつま先の位置にセットし、反対側にリフレクター１８ｂを装着した移動リフレクター台３３を設置した状態を前面から見た図である。
メイン支柱１９には指先が通過したことを知らせる表示ライト２２ａがあり、サブ支柱２７にも、つま先がセンサーに接触したことを表示する表示ライト２２ｂがあって、センサーが指先やつま先の通過を感知した時に点灯する仕組みになっている。【００１４】図１１は検証用コネクター１０をアーム１３から外し、光電センサー１７ａをアーム７にある接続ネジ穴９に取付け、レールカバー２１に装着されている伸縮台のリフレクター１８ｂをリリースポイントにセットした状態を前面から見た図である。光電センサー１７ａと伸縮台３０のリフレクター１８ｂとを結ぶ縦の線がリリースポイントとなるので、オ−バースロー以外のリリースポイントが頭より下になる投球フォームに対応出来る。
【図面の簡単な説明】
【図１】本考案をトレーニング用にセットした状態を正面から見た図
【図２】プラスチックカラーとスポンジバー
【図３】メイン支柱
【図４】ガイドレール表示図
【図５】左右角度調節板の角度を変え、リリースポイントの高さを調節した正面図
【図６】トレーニング用コネクターのヘッドの差し込みを変えた状態の正面図
【図７】本考案をトレーニング用にセットした状態を側面から見た図
【図８】サブ支柱を前面からと側面から見た図
【図９】センサーリフレクターを装着した検証用コネクターを取付けた図
【図１０】検証用コネクターを取付けた正面図
【図１１】下手投げに対応出来る様に本考案を検証用にセットした状態を正面から見た図
【符号の説明】  １  ベアリング入りカラー
２  スポンジバー
３  スポンジバー固定金物
４  トレーニング用コネクター
５  トレーニング用コネクター差し込みヘッドａ
６  トレーニング用コネクター差し込みヘッドｂ
７  アーム
８  屈折部
９  光電センサー取付けネジ穴
１０  検証用コネクター
１１  検証用コネクター差し込みヘッド
１２  リフレクター取付け板
１３  アームホルダー
１４  左右角度調節ネジ
１５  中心軸
１６  挿しピン
１７ａ光電センサー
１７ｂ光電センサー
１８ａセンサー用リフレクター
１８ｂセンサー用リフレクター
１８ｃセンサー用リフレクター
１９  メイン支柱
２０  フロント支柱
２１  ガイドレールカバー
２２ａ表示ライト
２２ｂ表示ライト
２３  キャスター
２４  スライド用ガイドレール
２５  ポジフィルム張付けガラス
２６  投影器
２７  サブ支柱
２８  投影器用キャスター
２９  サブ支柱ガイドレールカバー
３０  伸縮式リフレクター台
３１  ガイドレール
３２  ガイドバー
３３  移動式リフレクター台
３４  固定ネジ
【図−１】
2011000403.tif 000003
【図−２】
2011000403.tif 000004
【図−３】
2011000403.tif 000005
【図−４】
2011000403.tif 000006
【図−５】
2011000403.tif 000007
【図−６】
2011000403.tif 000008
【図−７】
2011000403.tif 000009
【図−８】
2011000403.tif 000010
【図−９】
2011000403.tif 000011
【図−１０】
2011000403.tif 000012
【図−１１】
2011000403.tif 000013